(57)【要約】      （修正有）【課題】中和器の容積を大きくすることができ、かつコストを低減することができる熱源機を提供する。【解決手段】熱源機は、バーナ４０と、熱交換器ＨＥと、中和器１４と、筺体ＨＰとを備えている。バーナ４０は燃焼ガスを供給するためのものである。熱交換器ＨＥはバーナ４０によって供給された燃焼ガスの潜熱を回収するためのものである。中和器１４は熱交換器ＨＥで燃焼ガスの潜熱を回収することによって発生したドレンを中和するためのものである。筺体ＨＰは燃焼ガスを排気するための排気口ＥＰが設けられた前面を有する。バーナ４０は、筺体ＨＰの前面と対向する対向面ＤＰを含んでいる。中和器１４は、前面側から見たときに、対向面ＤＰと重なる領域に位置する部分を有し、かつ左右方向に延びる横長部１４ａと、前面側から見たときに、横長部１４ａから下方に延びる縦長部１４ｂとを含んでいる。【選択図】図３
2015083902.tif 000002
【特許請求の範囲】
【請求項１】
燃焼ガスの潜熱を回収可能な熱源機であって、
前記燃焼ガスを供給するためのバーナと、
前記バーナによって供給された前記燃焼ガスの潜熱を回収するための熱交換器と、
前記熱交換器で前記燃焼ガスの潜熱を回収することによって発生したドレンを中和するための中和器と、
前記燃焼ガスを排気するための排気口が設けられた前面を有する筺体とを備え、
前記バーナは、前記筺体の前記前面と対向する対向面を含み、
前記中和器は、
前記前面側から見たときに、前記対向面と重なる領域に位置する部分を有し、かつ左右方向に延びる横長部と、
前記前面側から見たときに、前記横長部から下方に延びる縦長部とを含む、熱源機。
【請求項２】
前記縦長部と離れた位置に配置され、かつ前記縦長部を加熱可能な加熱装置をさらに備えた、請求項１に記載の熱源機。
【請求項３】
前記縦長部の下端は前記筺体の下面よりも下方に突出している、請求項１または２に記載の熱源機。
【請求項４】
内壁で囲まれた内部空間を有する排水部材をさらに備え、
前記筺体の下面に前記排水部材が取り付けられた状態で、前記縦長部の前記下端は、前記内部空間に挿入され、かつ前記内壁との間に隙間を有して配置されている、請求項３に記載の熱源機。
【請求項５】
前記縦長部は、
前記横長部から下方に延びる第１の通路と、
前記第１の通路から上方に延びる第２の通路とを含む、請求項１〜４のいずれか１項に記載の熱源機。
【請求項６】
浴槽に給湯するための風呂回路をさらに備え、
前記縦長部は、前記風呂回路に接続可能な第１の接続口を含む、請求項１〜５のいずれか１項に記載の熱源機。
【請求項７】
暖房器に温水を循環するための暖房回路とをさらに備え、
前記縦長部は、前記暖房回路に接続可能な第２の接続口を含む、請求項１〜６のいずれか１項に記載の熱源機。
【請求項８】
暖房器に温水を循環するための暖房回路をさらに備え、
前記中和器は、前記暖房回路の一部に沿って配置された部分を有している、請求項１〜６のいずれか１項に記載の熱源機。
【請求項９】
風呂を追い焚きするための風呂追い焚き回路をさらに備え、
前記中和器は、前記風呂追い焚き回路の一部に沿って配置された部分を有している、請求項１〜８のいずれか１項に記載の熱源機。
【発明の詳細な説明】
【技術分野】
【０００１】
本発明は、熱源機に関し、特に、燃焼ガスの潜熱を回収可能な熱源機に関するものである。
【背景技術】
【０００２】
熱源機の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露するため、熱交換器に多量のドレン（結露水）が発生する。燃焼排気ガス中には窒素酸化物などが含まれるため、これがドレンに溶け込んでドレンは酸性となる。この酸性のドレンを中和するために中和剤が用いられている。この中和剤は中和器に充填されている。中和器を備えた燃焼装置が、たとえば特開２０１３−１６４１７４号公報（特許文献１）に記載されている。
【先行技術文献】
【特許文献】
【０００３】
【特許文献１】特開２０１３−１６４１７４号公報
【発明の概要】
【発明が解決しようとする課題】
【０００４】
上記の潜熱回収式の熱源機では、大量の中和剤が必要となるため、大きな容積の中和器が必要となる。大きな容積の中和器では、ドレンの貯まる範囲が大きくなるため、中和器の内部でドレンが凍結し易くなる。中和器の内部でドレンが凍結すると、燃焼が続行できなくなるため、中和器の凍結防止用のヒータが必要となる。このため、コストが高くなるという問題がある。
【０００５】
本発明は、上記の課題を鑑みてなされたものであり、その目的は、中和器の容積を大きくすることができ、かつコストを低減することができる熱源機を提供することである。
【課題を解決するための手段】
【０００６】
本発明の熱源機は、燃焼ガスの潜熱を回収可能なものである。熱源機は、バーナと、熱交換器と、中和器と、筺体とを備えている。バーナは燃焼ガスを供給するためのものである。熱交換器はバーナによって供給された燃焼ガスの潜熱を回収するためのものである。中和器は熱交換器で燃焼ガスの潜熱を回収することによって発生したドレンを中和するためのものである。筺体は燃焼ガスを排気するための排気口が設けられた前面を有する。バーナは、筺体の前面と対向する対向面を含んでいる。中和器は、前面側から見たときに、対向面と重なる領域に位置する部分を有し、かつ左右方向に延びる横長部と、前面側から見たときに、横長部から下方に延びる縦長部とを含んでいる。
【０００７】
本発明の熱源機によれば、筺体の前面側から見たときに左右方向に横長部が延びており、縦長部が横長部から下方に延びているために、中和器の容積を大きくすることができる。また、横長部はバーナの対向面と重なる領域に位置する部分を有しているため、該部分にバーナの熱が伝熱することによって、中和器を加熱することができる。このため、中和器の凍結用のヒータを別個に設ける必要がない。これにより、コストを低減することができる。
【０００８】
上記の熱源機は、縦長部と離れた位置に配置され、かつ縦長部を加熱可能な加熱装置をさらに備えている。これにより、縦長部と離れた位置に配置された加熱装置によって縦長部を加熱することができる。
【０００９】
上記の熱源機においては、縦長部の下端は筺体の下面よりも下方に突出している。これにより、縦長部の容積を大きくすることができる。また、中和器の下端に排出用のホースを接続する必要がない。このため、コストを低減することができる。
【００１０】
上記の熱源機は、内壁で囲まれた内部空間を有する排水部材をさらに備えている。筺体の下面に排水部材が取り付けられた状態で、縦長部の下端は、内部空間に挿入され、かつ内壁との間に隙間を有して配置されている。このため、縦長部の下端が排水部材の内部空間から引き出されることで、中和器が筺体から取り外される。したがって、中和器の下端に直接配管が接続されている場合に比べて中和器の取り外し作業が容易になる。
【００１１】
上記の熱源機においては、縦長部は、横長部から下方に延びる第１の通路と、第１の通路から上方に延びる第２の通路とを含んでいる。このため、第１の通路と第２の通路とによって水封構造を形成することができる。これにより、燃焼排気ガスが中和器から筺体の外部に排出されることを抑制できる。
【００１２】
上記の熱源機は、浴槽に給湯するための風呂回路をさらに備えている。縦長部は、風呂回路に接続可能な第１の接続口を含んでいる。このため、風呂回路の水を、第１の接続口から中和器に供給し、中和器から排出することができる。したがって、風呂回路の水を排出するための排水装置を別途設ける必要がない。これにより、コストを低減することができる。
【００１３】
上記の熱源機は、暖房器に温水を循環するための暖房回路とをさらに備えている。縦長部は、暖房回路に接続可能な第２の接続口を含んでいる。このため、暖房回路の水を、第２の接続口から中和器に供給し、中和器から排出することができる。したがって、暖房回路の水を排出するための排水装置を別途設ける必要がない。これにより、コストを低減することができる。
【００１４】
上記の熱源機は、暖房器に温水を循環するための暖房回路をさらに備えている。中和器は、暖房回路の一部に沿って配置された部分を有している。これにより、暖房回路の熱が伝熱することによって、中和器を加熱することができる。
【００１５】
上記の熱源機は、風呂を追い焚きするための風呂追い焚き回路をさらに備えている。中和器は、風呂追い焚き回路の一部に沿って配置された部分を有している。これにより、風呂追焚き回路の熱が伝熱することによって、中和器を加熱することができる。
【発明の効果】
【００１６】
以上説明したように、本発明によれば、中和器の容積を大きくすることができ、かつコストを低減することができる。
【図面の簡単な説明】
【００１７】
【図１】本発明の一実施の形態における熱源機の構成を概略的に示す作動原理図である。
【図２】本発明の一実施の形態における熱源機の外観を概略的に示す斜視図である。
【図３】本発明の一実施の形態における熱源機の内部構成を概略的に示す正面図である。
【図４】本発明の一実施の形態における中和器の構成を概略的に示す正面図である。
【図５】本発明の一実施の形態における中和器の構成を概略的に示す側面図である。
【図６】本発明の一実施の形態における排水部材に中和器の縦長部の下端が挿入された状態を概略的に示す断面図である。
【発明を実施するための形態】
【００１８】
以下、本発明の実施の形態について図に基づいて説明する。
まず、本発明の一実施の形態の熱源機の構成を説明する。
【００１９】
図１を参照して、本実施の形態の熱源機（給湯器）１の概略的な構成について説明する。本実施の形態の熱源機１は、独立した２つの燃焼系統、具体的には右側に給湯側燃焼系統、左側に風呂・暖房側燃焼系統を有し、さらに燃焼に関連する動作を司る制御装置２を有する。
【００２０】
給湯側燃焼系統には、燃料を燃焼して燃焼ガスを生成する給湯側燃焼部７と、その給湯側燃焼部７に燃焼用の空気を送風する公知の送風機９と、湯水あるいは熱媒体が流通し燃焼ガスによって加熱される給湯側熱交換部１１と、給湯流水系統２０が備えられ、同様に風呂・暖房側燃焼系統には、風呂・暖房側燃焼部８と、その風呂・暖房側燃焼部８に送風する送風機９と、風呂・暖房側熱交換部１２と、暖房流水系統２１と、追い焚き流水系統２２とが備えられている。また、熱源機１は、風呂・暖房側燃焼系統と給湯側燃焼系統の両方のドレンを受けるドレン排出系統１３を有している。
【００２１】
各燃焼部７、８は、燃料ガスを燃焼する複数のバーナ４０が設けられ、燃料ガスをバーナ４０に至らせる燃料配管４１が接続されている。燃料配管４１には、元ガス電磁弁（燃料用弁）４２、それぞれのバーナ４０に至る燃料ガスの流通を規制する比例弁（燃料用弁）４３と電磁弁（燃料用弁）４４が設けられている。すなわち、各燃焼部７、８では、各燃料用弁４２、４３、４４の開閉が制御されて、燃料配管４１を介して供給された燃料ガスが、バーナ４０で燃焼されて燃焼ガスが生成される。
【００２２】
給湯流水系統２０は、給湯側熱交換部１１がその一部を形成するものであり、給水源から供給される湯水を給湯側熱交換部１１に流し、その給湯側熱交換部１１からカラン等に至らせる給湯主流路２３と、給湯側熱交換部１１をバイパスする給湯側バイパス流路２５とを有する。そして、給湯流水系統２０には、給湯側バイパス流路２５を通過する流量を調整する給湯側バイパス流量調整弁（液体用弁）２６や、出湯温度が所定値よりも低い場合に出湯流量を絞る出湯流量調整弁（液体用弁）２７等が設けられている。
【００２３】
さらに、給湯流水系統２０には、出湯流路調整弁２７から分岐し、湯水を風呂の浴槽へと導く風呂落とし込み流路２８が備えられている。そして、この風呂落とし込み流路２８には、浴槽への水流を規制する注湯電磁弁（液体用弁）３０と、浴槽側からの水流の逆流を防止する逆流防止機構３１等が設けられている。
【００２４】
なお、給湯側熱交換部１１は、燃焼ガスの主に顕熱を回収する一次熱交換器１１ａと、燃焼ガスの主に潜熱を回収する二次熱交換器１１ｂ（熱交換器ＨＥ）とで構成されている。
【００２５】
暖房流水系統（端末循環路）２１は、風呂・暖房側熱交換部１２がその一部を形成するものであり、湯水は、風呂・暖房側熱交換部１２と浴室暖房機等の高温側端末（図示しない）との間を循環する高温端末経路と、風呂・暖房側熱交換部１２と床暖房等の低温側端末（図示しない）との間を循環する低温端末経路と、高温端末経路と低温端末経路とを繋ぐ暖房側バイパス流路と、追い焚き流水系統２２を流れる湯水を加熱する風呂加熱経路とを流通する。
【００２６】
そして、暖房流水系統２１には、湯水の循環流を形成する暖房側ポンプ３６と、湯水の温度変化に起因した体積の膨張に伴う圧力上昇又は収縮に伴う圧力低下を抑制する膨張タンク３７と、暖房側バイパス流路上に設けられた暖房側バイパス熱動弁（液体用弁）３９と、風呂加熱経路への通水を規制する風呂側熱動弁（液体用弁）４５と、追い焚き流水系統２２を流れる湯水との熱交換が行われる液・液熱交換器４６等が設けられている。
【００２７】
なお、風呂・暖房側熱交換部１２は、燃焼ガスの主に顕熱を回収する一次熱交換器１２ａと、燃焼ガスの主に潜熱を回収する二次熱交換器１２ｂ（熱交換器ＨＥ）とで構成されている。
【００２８】
追い焚き流水系統２２は、前記液・液熱交換器４６がその一部を形成するものであり、液・液熱交換器４６と風呂の浴槽（図示しない）との間を浴槽内の湯水が循環する追い焚き流路４７を有する。そして、追い焚き流路４７には、湯水の循環流を形成する追い焚き側ポンプ４８等が設けられている。なお、この追い焚き流路４７には、前記した風呂落とし込み流路２８が接続されている。
【００２９】
ドレン排出系統１３は、燃焼ガスの潜熱を回収する際に発生するドレンを、中和器１４で中和してから外部に排水する流路である。すなわち、図５に示すように、ドレン排出系統１３は、二次熱交換器１１ｂ、１２ｂから中和器１４に至る中和器導入流路１５と、中和器１４と、中和器１４より下流側の外部排出流路１６とで構成されている。
【００３０】
続いて、本実施の形態の熱源機（給湯器）１の具体的な構成について説明する。
図２を参照して、熱源機１は、前面ＦＳ、上面ＵＳ、下面（底面）ＬＳ、側面ＳＳおよび図示しない後面（背面）を有する筺体ＨＰを備えている。前面ＦＳには燃焼ガスを排気するための排気口ＥＰが設けられている。熱源機１は、略直方体形状を有しており、高さ（上下）方向（図中矢印Ｙ方向）の寸法よりも幅（左右）方向（図中Ｘ方向）の寸法が小さくなるように形成されており、幅（左右）方向（図中Ｘ方向）の寸法よりも奥行き（前後）方向（図中Ｚ方向）の寸法が小さくなるように形成されている。
【００３１】
図３を参照して、熱源機１は、燃焼ガスの潜熱を回収可能な潜熱回収式熱源機である。燃焼ガスを供給するためのバーナ４０の上方に、給湯側熱交換部１１および風呂・暖房側熱交換部１２が配置されている。具体的には、バーナ４０の上方に、バーナ４０によって供給された燃焼ガスの顕熱を回収するための一次熱交換器１１ａと、風呂・暖房側熱交換部１２の一次熱交換器１２ａとが配置されている。さらに、各一次熱交換器１１ａ、１１ｂの上方に、バーナ４０によって供給された燃焼ガスの潜熱を回収するための給湯側熱交換部１１の二次熱交換器１１ｂ（熱交換器ＨＥ）と、風呂・暖房側熱交換部１２の二次熱交換器１２ｂ（熱交換器ＨＥ）とが配置されている。
【００３２】
また、バーナ４０は筺体ＨＰの前面ＦＳに対向する対向面ＤＰを有している。この対向面ＤＰよりも筺体ＨＰの前面ＦＳ側およびバーナ４０よりも下面（底面）ＬＳ側に略Ｌ字状に中和器１４が配置されている。中和器１４は、各二次熱交換器１１ｂ、１２ｂで燃焼ガスの潜熱を回収することによって発生したドレンを中和するためのものである。中和器１４の内部には中和剤が充填されており、この中和剤によってドレンを中和することができる。また、中和器１４は電気絶縁性を有する素材で形成されている。中和器１４の材料としては、たとえばポリプロピレンを用いることができる。
【００３３】
中和器１４は、バーナ４０を覆うように配置された部分を有している。この部分は、バーナ４０の下方側においてバーナ４０のノズルが配置された位置に配置されている。このため、中和器１４はバーナ４０の上方側の高温部分を避けて配置されている。中和器１４のバーナ４０を覆うように配置された部分は、バーナ４０と、電気を通電可能な通電線５０との間に位置している。つまり、バーナ４０と通電線５０とは中和器１４の少なくとも一部を挟んでいる。
【００３４】
図３および図４を参照して、中和器１４は、通電線５０を支持可能な支持部ＳＰ（溝ＴＰ）を有している。この支持部ＳＰは、中和器１４の外壁ＯＰに設けられており、通電線５０を係止可能に構成されている。バーナ４０の対向面ＤＰにはバーナ４０に点火するための点火ノズル５１が接続されている。また、バーナ４０の側面に点火ノズル５１に電圧を加えて点火ノズル５１を点火させるための高電圧発生部材５２が配置されている。この高電圧発生部材５２としては、たとえばイグナイタを用いることができる。通電線５０は、点火ノズル５１と高電圧発生部材５２とを電気的に接続する高圧コードである。
【００３５】
図３〜図５を参照して、中和器１４は、横長部１４ａと縦長部１４ｂとを有している。筺体ＨＰの前面ＦＳ側から見たときに、横長部１４ａと縦長部１４ｂとは、略Ｌ字形状を有するように接続されている。筺体ＨＰの側面ＳＳ側から見たときに、横長部１４ａと縦長部１４ｂとは、奥行き（前後）方向にずれて配置されている。筺体ＨＰの前面ＦＳから見たときに、横長部１４ａは横長に形成されており、縦長部１４ｂは縦長に形成されている。つまり、主に図３および図５を参照して、横長部１４ａは、筺体ＨＰの前面ＦＳ側から見たときに、バーナ４０の対向面ＤＰと重なる領域に位置する部分を有し、左右方向に延びている。この横長部１４ａはバーナ４０の対向面ＤＰと対向するように、対向面ＤＰに沿って配置されている。また、熱源機１の奥行き（前後）方向において、横長部１４ａはバーナ４０の対向面ＤＰと筺体ＨＰの前面ＦＳとの間に配置されている。また、縦長部１４ｂは筺体ＨＰの前面ＦＳ側から見たときに、横長部１４ａの一端側から下方に延びている。
【００３６】
追い焚き側ポンプ４８の凍結を防止するための凍結防止ヒータ（加熱装置）ＨＤが追い焚き側ポンプ４８の縦長部１４ｂに対向する面に取り付けられている。凍結防止ヒータＨＤは、筺体ＨＰの前面ＦＳ側から見たときに縦長部１４ｂと重なるように配置されており、筺体ＨＰの側面ＳＳ側から見たときに縦長部１４ｂと隙間をあけて配置されている。また、凍結防止ヒータＨＤは、その熱が空気を伝って縦長部１４ｂに伝熱するように配置されている。つまり、凍結防止ヒータＨＤは、縦長部１４ｂと離れた位置に配置されており、かつ縦長部１４ｂを加熱可能に構成されている。
【００３７】
また、中和器１４は、図中矢印で示すように、ドレンが上端ＵＥから入り、横長部１４ａおよび縦長部１４ｂを通って下端ＬＥから排出されるように構成されている。横長部１４ａはドレンの喫水面Ｌ１を有するように構成されており、縦長部１４ｂはドレンの喫水面Ｌ２を有するように構成されている。
【００３８】
さらに、縦長部１４ｂは、横長部１４ａから下方に延びる第１の通路Ｈ１と第１の通路Ｈ１から上方に延びる第２の通路Ｈ２を有している。この第１の通路Ｈ１と第２の通路Ｈ２とによって水封構造ＷＳが構成されている。この水封構造ＷＳによって、中和器に燃焼ガスが導入された場合、中和器１４内に導入されたドレンによって、ドレン排出系統１３における燃焼ガスの流通経路を遮断することができる。このように、ドレン排出系統１３に流入した燃焼ガスを、水封構造ＷＳによって、外部に流出することを阻止することができる。
【００３９】
縦長部１４ｂは風呂回路（給湯流水系統２０）に接続可能な第１の接続口Ｃ１と、暖房回路（暖房流水系統２１）に接続可能な第２の接続口Ｃ２を有している。第１および第２の接続口Ｃ１、Ｃ２は第２の通路よりも下端ＬＥ側に配置されている。
【００４０】
また、中和器１４は暖房回路（暖房流水系統２１）の一部に沿って配置された部分を有している。なお、暖房回路は、中和器１４を加熱可能であればよく、中和器１４に接していてもよく、また離れていてもよい。また、中和器１４は図３中に図示しない追い焚き回路（追い焚き流水系統２２）の一部に沿って配置された部分を有している。なお、追い焚き回路は、中和器１４を加熱可能であればよく、中和器１４に接していてもよく、また離れていてもよい。また、中和器１４は、縦長部１４ｂに斜めに形成された窪みを有しており、この窪みに暖房回路を構成する暖房オーバーフローホースの一部が嵌め込まれている。このため、暖房オーバーフローホースの下り勾配を維持しつつ暖房オーバーフローホースを位置決めすることができる。また、暖房オーバーフローホースが可撓性を有する場合には、型を用いて暖房オーバーフローホースの形状を固定するなどの特段の加工を不要にすることができる。
【００４１】
また、中和器１４の下端ＬＥ近傍にはドレンを流通可能な排水部材６０および中和器１４の排水栓６１が取り付けられている。横長部１４ａの中央にはコントローラ固定金具６２が取り付けられている。中和器１４の上端ＵＥ近傍にはドレンの容量を検知するための中和器電極６３、６４が取り付けられている。さらに、横長部１４ａには中和器の注入口を封止可能な中和器キャップ６５およびパッキン６６が取り付けられている。
【００４２】
図４および図６を参照して、中和器１４の縦長部１４ｂの下端ＬＥは筺体ＨＰの下面ＬＳよりも下方に突出している。
【００４３】
排水部材６０は、内壁ＩＷで囲まれた内部空間ＩＳを有している。筺体ＨＰの下面ＬＳに排水部材６０が取り付けられた状態で、縦長部１４ｂの下端ＬＥは、内部空間ＩＳに挿入されている。また、この状態で、縦長部１４ｂの下端ＬＥは内壁ＩＷとの間に隙間を有して配置されている。
【００４４】
続いて、本実施の形態の熱源機１の基本的動作について説明する。
熱源機１の基本的動作は、給湯運転、暖房運転、並びに、風呂落とし込みや追い焚き運転があり、いずれも公知のそれと同様である。
【００４５】
給湯運転は、カラン等が操作されて、出湯要求があれば、給湯側燃焼部７で生成された燃焼ガスで給湯側熱交換部１１が加熱され、所望の温度の湯がカラン等から出湯される。暖房運転は、風呂の浴室暖房等（高温側端末）に高温の湯を循環させる高温暖房運転と、床暖房機器等（低温側端末）に低温の湯（高温側端末に循環する湯水の温度よりも低温）を循環させる低温暖房運転がある。すなわち、高温暖房運転では、風呂・暖房側燃焼部８で生成された燃焼ガスで風呂・暖房側熱交換部１２が加熱されて、高温端末経路を介して高温側端末に高温の湯水が循環され、低温暖房運転では、風呂・暖房側燃焼部８で生成された燃焼ガスで風呂・暖房側熱交換部１２が加熱されて、低温端末経路を介して低温側端末に低温の湯が循環される。
【００４６】
追い焚き運転は、浴槽内の湯水の温度が所定温度以下であったり、リモコン等による追い焚き運転の要求があれば、液・液熱交換器４６を介して、浴槽内の湯水を設定温度に至るまで加熱する。より具体的には、本実施の形態の追い焚き運転は、風呂・暖房側燃焼部８で生成された燃焼ガスで風呂・暖房側熱交換部１２が加熱され、その熱が暖房流水系統２１を介して間接的に追い焚き流路４７に伝わり、浴槽内の湯水を加熱している。風呂落とし込み運転は、出湯要求の方法が異なる（リモコン等を介した要求）だけであり、前記給湯運転とほぼ同様の動作が実施されるため、説明を省略する。
【００４７】
次に、本実施の形態の熱源機の作用効果について説明する。
本実施の形態の熱源機１によれば、筺体ＨＰの前面ＦＳ側から見たときに左右方向に横長部１４ａが延びており、縦長部１４ｂが横長部１４ａから下方に延びているために、中和器１４の容積を大きくすることができる。また、横長部１４ａはバーナ４０の対向面と重なる領域に位置する部分を有しているため、該部分にバーナ４０の熱が伝熱することによって、中和器１４を加熱することができる。このため、中和器１４の凍結用のヒータを別個に設ける必要がない。これにより、コストを低減することができる。
【００４８】
本実施の形態の熱源機１は、縦長部１４ｂと離れた位置に配置された追い焚き側ポンプ４８の凍結を防止するための凍結防止ヒータＨＤによって縦長部１４ｂを加熱することができる。
【００４９】
本実施の形態の熱源機１においては、縦長部１４ｂの下端ＬＥは筺体ＨＰの下面ＬＳよりも下方に突出している。これにより、縦長部１４ｂの容積を大きくすることができる。また、中和器１４の下端に排出用のホースを接続する必要がない。このため、コストを低減することができる。
【００５０】
本実施の形態の熱源機１においては、筺体ＨＰの下面ＬＳに排水部材６０が取り付けられた状態で、縦長部１４ｂの下端ＬＥは、内部空間ＩＳに挿入され、かつ内壁ＩＷとの間に隙間を有して配置されている。このため、縦長部１４ｂの下端ＬＥが排水部材６０の内部空間ＩＳから引き出されることで、中和器１４が筺体ＨＰから取り外される。したがって、中和器１４の下端ＬＥに直接配管が接続されている場合に比べて中和器１４の取り外し作業が容易になる。
【００５１】
本実施の形態の熱源機１においては、縦長部１４ｂは、横長部１４ａから下方に延びる第１の通路Ｈ１と、第１の通路Ｈ１から上方に延びる第２の通路Ｈ２とを含んでいる。このため、第１の通路Ｈ１と第２の通路Ｈ２とによって水封構造を形成することができる。これにより、燃焼排気ガスが中和器１４から筺体ＨＰの外部に排出されることを抑制できる。
【００５２】
本実施の形態の熱源機１においては、縦長部１４ｂは、風呂回路（給湯流水系統２０）に接続可能な第１の接続口Ｃ１を含んでいる。このため、風呂回路の水を、第１の接続口Ｃ１から中和器１４に供給し、中和器１４から排出することができる。したがって、風呂回路の水を排出するための排水装置を別途設ける必要がない。これにより、コストを低減することができる。
【００５３】
本実施の形態の熱源機１においては、暖房回路（暖房流水系統２１）に接続可能な第２の接続口Ｃ２を含んでいる。このため、暖房回路の水を、第２の接続口Ｃ２から中和器１４に供給し、中和器１４から排出することができる。したがって、暖房回路の水を排出するための排水装置を別途設ける必要がない。これにより、コストを低減することができる。
【００５４】
本実施の形態の熱源機１においては、中和器１４は、暖房回路（暖房流水系統２１）の一部に沿って配置された部分を有している。これにより、暖房回路の熱が伝熱することによって、中和器１４を加熱することができる。
【００５５】
本実施の形態の熱源機１においては、風呂を追い焚きするための風呂追い焚き回路（追い焚き流水系統２２）をさらに備えている。中和器は、風呂追い焚き回路の一部に沿って配置された部分を有している。これにより、風呂追焚き回路の熱が伝熱することによって、中和器を加熱することができる。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５７】
１  熱源機、２  制御装置、７  給湯側燃焼部、８  暖房側燃焼部、９  送風機、１１  給湯側熱交換部、１１ａ，１２ａ  一次熱交換器、１１ｂ，１２ｂ  二次熱交換器、１２  暖房側熱交換部、１３  ドレン排出系統、１４  中和器、１４ａ  横長部、１４ｂ  縦長部、１５  中和器導入流路、１６  外部排出流路、２０  給湯流水系統、２１  暖房流水系統、２２  追い焚き流水系統、２３  給湯主流路、２５  給湯側バイパス流路、２７  出湯流路調整弁、２８  風呂落とし込み流路、３６  暖房側ポンプ、３７  膨張タンク、４０  バーナ、４１  燃料配管、４２  燃料用弁、４６  液・液熱交換器、４７  追い焚き流路、５０  通電線、５１  点火ノズル、５２  高電圧発生部材、６０  排水部材、６１  排水栓、６３，６４  中和器電極、６５  中和器キャップ、６６  パッキン、Ｃ１  第１の接続口、Ｃ２  第２の接続口、ＤＰ  対向面、ＥＰ  排気口、ＦＳ  前面、Ｈ１  第１の通路、Ｈ２  第２の通路、ＨＤ  凍結防止ヒータ、ＨＥ  熱交換器、ＨＰ  筺体、ＩＳ  内部空間、ＩＷ  内壁、Ｌ１，Ｌ２  喫水面、ＬＥ  下端、ＯＰ  外壁、ＳＰ  支持部、ＳＳ  側面、ＴＰ  溝、ＵＥ  上端、ＵＳ  上面、ＷＳ  水封構造。
【図２】
2015083902.tif 000003
【図３】
2015083902.tif 000004
【図４】
2015083902.tif 000005
【図５】
2015083902.tif 000006
【図６】
2015083902.tif 000007
【図１】
2015083902.tif 000008